(57)【要約】【課題】吸込口に目隠し部を設けても、フィルタの前面にて効率よく空気中の塵埃を除去できるようにする。【解決手段】吸込口カバー１１は、空気中の塵埃を除去する１次フィルタ１７を収納するフィルタ収納部１１ｃと、吸込口１２を前方から視認した場合にフィルタ収納部１１ｃに収納された１次フィルタ１７の視認が遮られるように形成された目隠し部１１ｂと、目隠し部１１ｂの周縁部に設けられた空気流入部１１ｆとを含んで形成されている。目隠し部１１ｂの背面に、空気流入部１１ｆから流入した空気が１次フィルタ１７の前面側で循環可能なように、１次フィルタ１７の前面が空気流入部１１ｆの後端より前方ヘと突出するのを規制する突起部１１ｄが形成されている。【選択図】図５
2008079640.tif 000002
【特許請求の範囲】
【請求項１】
遊技台に隣接して設置され、送風手段と、前記送風手段が送風する空気の吸込口と、前記吸込口に着脱可能な吸込口カバーとを備え、前記吸込口が装置本体の前面側に設けられた遊技場用エアカーテン装置において、
前記吸込口カバーは、空気中の塵埃を除去するフィルタを収納するフィルタ収納部と、前記吸込口を前方から視認した場合に前記フィルタ収納部に収納された前記フィルタの視認が遮られるように形成された目隠し部と、当該目隠し部の周縁部に設けられた空気流入部とを含んで形成され、
前記目隠し部の背面に、前記空気流入部から流入した空気が前記フィルタの前面側で循環可能なように、前記フィルタの前面が前記空気流入部の後端より前方ヘと突出するのを規制する突起部を形成したことを特徴とする遊技場用エアカーテン装置。
【請求項２】
前記目隠し部の前面形状が、前記フィルタの前面形状と略同一に形成されている請求項１記載の遊技場用エアカーテン装置。
【請求項３】
前記突起部により前記目隠し部の背面を複数の領域に区分けし、その区分けした領域間で通気が可能なように前記突起部に通気溝を設けることで、前記フィルタの前面側で空気が循環可能なようにした請求項１または２記載の遊技場用エアカーテン装置。
【発明の詳細な説明】
【技術分野】
【０００１】
本発明は遊技場用エアカーテン装置に関し、特に空気の吸込口が装置本体の前面側に設けられた遊技場用エアカーテン装置に関する。
【背景技術】
【０００２】
遊技店では遊技者が隣り合って遊技を行うため、遊技者が喫煙すると、その伏流煙が隣の遊技者に流れていき、不快な思いをさせるおそれがある。このような問題を解消するため、例えば特許文献１では、遊技台間にエアカーテンを形成する遊技場用エアカーテン装置を設けることが提案されている。
【０００３】
このような遊技場用エアカーテン装置は、エアカーテンを形成する空気を吸い込むための吸込口が必要となるが、特許文献１では、吸込口が装置本体の前面側に設けられ、吸込口の前面全体で空気を吸い込む構成とされ、その近傍であって、装置本体の内側に塵埃を除去するフィルタを装着するようにしている。
【特許文献１】特開平１０-１５２２０号公報
【発明の開示】
【発明が解決しようとする課題】
【０００４】
しかしながら、上記従来の遊技場用エアカーテン装置のように、装置本体の前面側に設けられた吸込口の前面全体で空気を吸い込む構成とした場合、吸込口、あるいはフィルタに付着した塵埃が直接遊技者の目に止まるため、頻繁に清掃等のメンテナンスを行う必要がある。また、吸込口の前面全体が汚れているため、メンテナンスも広範囲に渡り非常に煩雑となる。
【０００５】
ここで、吸込口の前面全体で空気を吸い込まない構造、つまり、吸込口の前面を目隠しし、目隠し部の上下左右の端面側から空気を吸い込むように空気流入部を形成することが考えられるが、単に吸込口に目隠し部を形成しただけでは、フィルタの前面と目隠し部の背面とが密着し、フィルタの上下端面や左右端面でしか塵埃を除去できなくなり、フィルタの塵埃除去作用が他面に比べて大きい前面にて塵埃を除去することが難しくなるという問題点があった。
【０００６】
本発明の目的は、このような事情に鑑み、吸込口に目隠し部を設けても、フィルタの前面にて効率よく空気中の塵埃を除去できるようにした遊技場用エアカーテン装置を提供することにある。
【課題を解決するための手段及び発明の効果】
【０００７】
上記課題を解決するために、請求項１記載の遊技場用エアカーテン装置は、遊技台に隣接して設置され、送風手段と、前記送風手段が送風する空気の吸込口と、前記吸込口に着脱可能な吸込口カバーとを備え、前記吸込口が装置本体の前面側に設けられた遊技場用エアカーテン装置において、前記吸込口カバーは、空気中の塵埃を除去するフィルタを収納するフィルタ収納部と、前記吸込口を前方から視認した場合に前記フィルタ収納部に収納された前記フィルタの視認が遮られるように形成された目隠し部と、当該目隠し部の周縁部に設けられた空気流入部とを含んで形成され、前記目隠し部の背面に、前記空気流入部から流入した空気が前記フィルタの前面側で循環可能なように、前記フィルタの前面が前記空気流入部の後端より前方ヘと突出するのを規制する突起部を形成したことを特徴とする。
【０００８】
請求項１記載の遊技場用エアカーテン装置によれば、吸込口の前面から空気を直接吸い込むのではなく、吸込口カバーの目隠し部の周縁部に形成された空気流入部から空気を吸い込むようにしたので、空気流入部を清掃するだけで目に見える塵埃を除去することができ、日毎のメンテナンスの労力が軽減される。また、目隠し部によりフィルタに付着した塵埃が隠れるので、フィルタに塵埃が付着した状態であっても清潔感を維持できる。さらに、吸込口カバーにフィルタ収納部を設けたことにより、フィルタを収納した状態で吸込口カバーを装置本体から着脱可能となり、フィルタを着脱する場合に、遊技場用エアカーテン装置が設置された遊技島を覗き込んでからフィルタを着脱して位置調整を行う必要がなくなり、メンテナンスに掛かる労力を軽減化できる。さらにまた、目隠し部の背面に設けた突起部により、フィルタ収納部を上げ底とし、フィルタの前面が空気流入部の後端より突出するのを規制しているので、目隠し部の周縁部に寄せて配置した空気流入部から吸い込んだ空気中の塵埃を、面積の狭いフィルタの上下左右の端面でなく、面積の広いフィルタの前面で取り除くことができる。
【０００９】
請求項２記載の遊技場用エアカーテン装置は、請求項１に記載の遊技場用エアカーテン装置において、前記目隠し部の前面形状が、前記フィルタの前面形状と略同一に形成されていることを特徴とする。請求項２記載の遊技場用エアカーテン装置によれば、目隠し部の前面形状をフィルタの前面形状と略同一に形成することにより、目隠し部の周縁部に寄せて空気流入部を配置することになり、空気流入部やフィルタに付着した塵埃が遊技者の目に触れることを避けることができるとともに、清掃等のメンテナンスを容易化できる。
【００１０】
請求項３記載の遊技場用エアカーテン装置は、請求項１または２に記載の遊技場用エアカーテン装置において、前記突起部により前記目隠し部の背面を複数の領域に区分けし、その区分けした領域間で通気が可能なように前記突起部に通気溝を設けることで、前記フィルタの前面側で空気が循環可能なようにしたことを特徴とする。請求項３記載の遊技場用エアカーテン装置によれば、突起部により上げ底とした全ての領域について空気が循環可能なように突起部に通気溝を設けようにしたので、空気流入部から流入した空気がフィルタの前面側で循環することにより、フィルタのある箇所が塵埃により目詰まりを起こした場合であっても、フィルタの他の箇所で塵埃を除去することができ、フィルタによる塵埃の除去を効率化できる。
【発明を実施するための最良の形態】
【００１１】
吸込口に目隠し部を設けても、フィルタの前面にて効率よく空気中の塵埃を除去できるようにするという目的を、フィルタの前面が空気流入部の後端より前方ヘと突出するのを規制する突起部を目隠し部の背面に設け、空気流入部から流入した空気がフィルタの前面側で循環可能なようにしたことで達成した。
【００１２】
以下、本発明の遊技場用エアカーテン装置の実施の形態について、図面を参照して説明する。
【実施例１】
【００１３】
図１は、本発明の実施例１に係る遊技場用エアカーテン装置１０を示す正面斜視図である。本実施例１に係る遊技場用エアカーテン装置１０は、装置本体が縦長の直方体状に形成されており、正面下部側には吸込口カバー１１が着脱自在に装着された吸込口１２が設けられているとともに、正面上部側にはエアカーテンを形成するように縦長に穿設された吹出口１３が設けられている。また、正面中程には、風量調節釦１４が配設されている。
【００１４】
図２は、本実施例１に係る遊技場用エアカーテン装置１０の内部配置を示すイメージ図である。遊技場用エアカーテン装置１０の吸込口１２と吹出口１３との間にはダクト等でなる空気流路１５が形成されており、空気流路１５の吹出口１３寄りには送風手段であるファン１６が配設されている。また、吸込口１２の吸込口カバー１１の背面側（内側）には１次フィルタ１７が収納されており、そのさらに背面側（内側）には２次フィルタ１８が配設されている。また、２次フィルタ１８とファン１６との間の空気流路１５中には、光触媒部材２１（図１２参照）を備えるメインの電気回路基板（以下、単にメイン基板という）１９が設けられている。なお、図２中、符号２０は、ファン１６等を含む遊技場用エアカーテン装置１０全体に電源を供給する電源基板を示す。
【００１５】
遊技場用エアカーテン装置１０は、ファン１６を回転することで、正面下部側の吸込口１２から空気を吸い込み、１次フィルタ１７，２次フィルタ１８，およびメイン基板１９の光触媒部材２１により清浄化された空気を正面上部側の吹出口１３から吹き出し、タバコの煙等を遮断するエアカーテンを形成するとともに、遊技場内の空気を清浄化する。なお、風量調節釦１４の押下に応じて、遊技場用エアカーテン装置１０の風量を、「通常」→「強」→「切」→「通常」と順に切り替え可能である。
【００１６】
遊技場用エアカーテン装置１０は、図３に示すように、遊技台１に隣接して設置されて使用される。遊技台１に隣接して設置されていれば、遊技台１毎に対応して設けられていなくともよい（つまり、遊技台１の数と遊技場用エアカーテン装置１０の数との比は、１対１である必要はなく、２対１等であってもよい）。なお、遊技台１それ自体は周知であるので、詳しい説明を省略する。また、図３中では、遊技台１としてパチンコ遊技機を例示したが、遊技台１はスロットマシン等の他の遊技機であってもよいことはいうまでもない。
【００１７】
図４（ａ），（ｂ）は、吸込口カバー１１の前面斜視図および背面斜視図である。また、図５（ａ）〜（ｄ）は、吸込口カバー１１の前面図，底面図，左側面図および背面図である。さらに、図６および図７は、目隠し部１１ｂの背面斜視図および正面斜視図である。
【００１８】
吸込口カバー１１は、縦長の板体でなるカバー部１１ａと、カバー部１１ａの下端部から表面が面一となるように下方に延出された薄肉の目隠し部１１ｂと、目隠し部１１ｂの背面側に突起部１１ｄを介して突設された縦長の四角形状枠体でなるフィルタ収納部１１ｃとから構成されている。フィルタ収納部１１ｃには、図８に示す１次フィルタ１７が嵌合するように収納される。
【００１９】
カバー部１１ａは、図２に示すように、遊技場用エアカーテン装置１０内のメイン基板１９を覆い隠すように設けられており、吸込口カバー１１を吸込口１２から取り外すことによって、遊技場用エアカーテン装置１０の前面側から、メイン基板１９に操作を加えたり、メイン基板１９、あるいは光触媒部材２１を遊技場用エアカーテン装置１０内から引き抜いたり、挿入したりできるようになっている。
【００２０】
図６に示すように、目隠し部１１ｂの背面には、下端側で左右斜め下方の２方向に分岐するように形成された縦長の突条と、縦長の突条を横断するように形成された３本の横長の突条とからなる突起部１１ｄが一体的に突設されており、突起部１１ｄの所定位置には、目隠し部１１ｂの背面と面一となる複数の通気溝１１ｅが形成されている。突起部１１ｄは、目隠し部１１ｂの背面を、左上隅部から反時計回りに領域Ｒ１〜Ｒ９の９つの領域に区分けしている。そして、区分けされた領域Ｒ１〜Ｒ９に対応するフィルタ箇所により、対応する空気流入部１１ｆから流入した空気中の塵埃を除去する。この際、例えば、領域Ｒ２に対応するフィルタ箇所が塵埃により目詰まりしても、通気溝１１ｅにより、例えば、領域Ｒ１，Ｒ３，Ｒ８といった他の領域へと空気が流れる（空気が循環する）ので、塵埃の除去効率が低下することを抑制できる。
【００２１】
図７中に一点差線で囲って示す目隠し部１１ｂの前面形状と、図８に示す１次フィルタ１７の前面形状とは、略同一に形成されている。実施例１では、目隠し部１１ｂの表面積を１次フィルタ１７の前面の表面積の９５％程度としたが、±２０％程度までとする等、目隠し部１１ｂによって１次フィルタ１７の視認が遮られる程度であれば、数値は限定されない。また、目隠し部１１ｂの横幅や突起部１１ｄの左右外側への突出は、吸込口カバー１１の横幅を上限として形成されている。このため、例えば、吸込口カバー１１を鋳型に樹脂や金属等を流し込んで製造する場合に、目隠し部１１ｂ，フィルタ収納部１１ｃおよび突起部１１ｄを含んでいても、吸込口カバー１１を鋳型から型抜きすることが可能であり、吸込口カバー１１を１部品にて形成することができるので、製造コストを減らすことが可能である。
【００２２】
空気流入部１１ｆは、目隠し部１１ｂとフィルタ収納部１１ｃとの間に突起部１１ｄを介して形成された９つの間隙で形成されている。９つの空気流入部１１ｆは、目隠し部１１ｂの９つの領域Ｒ１〜Ｒ９にそれぞれ対応している。すなわち、空気流入部１１ｆは、目隠し部１１ｂの左端側に４つ、下端側に１つ、右端側に４つ形成されている。空気流入部１１ｆは、空気を流入させるとともに、その幅よりも大きな塵埃を吸い込むことを抑制する役目をする。
【００２３】
１次フィルタ１７は、図８に示すように、スポンジ等にて縦長の長方形の板体に形成されており、フィルタ収納部１１ｃ内に隙間のないように収納されて、空気流入部１１ｆから流入した空気に含まれる塵埃の内、比較的大きな塵埃を除去する役目をする。
【００２４】
１次フィルタ１７をフィルタ収納部１１ｃに収納した状態では、図９に示す図６のＡ−Ａ線での断面図および図１０に示す図６のＢ−Ｂ線での断面図からわかるように、突起部１１ｄにより１次フィルタ１７の前面が空気流入部１１ｆの後端より前面側（前方）へと突出することが規制されているので、１次フィルタ１７の側面あるいは下面から塵埃を含んだ空気を吸い込むことがない（突出を規制しなければ、空気流入部１１ｆに１次フィルタ１７の側面および下面がかかり、前面から吸い込む空気の量が少なくなる）。
【００２５】
２次フィルタ１８は、図１１に示すように、直方体状の筐体内に複数層のプリーツ１８ａを縦方向に積み上げることによって構成されている。２次フィルタ１８は、１次フィルタ１７を通過した比較的小さな塵埃を除去するフィルタであり、何層ものフェルト等の素材により形成されたプリーツ１８ａにより集塵効果を高めている。遊技場用エアカーテン装置１０の場合、遊技島から遊技場用エアカーテン装置１０を引き抜き、装置本体を分解して（側面を外して）、フィルタ交換するのでは非常に手間が掛かるので、吸込口１２から吸込口カバー１１を外して、２次フィルタ１８を遊技場用エアカーテン装置１０の前面側から引き抜いたり、挿入したりできるようにしている。また、２次フィルタ１８を遊技場用エアカーテン装置１０内から容易に引き出すことができるように、２次フィルタ１８には、取出用紐１８ｂが取り付けられている。取出用紐１８ｂは、２次フィルタ１８の背面に回り込んで１つの輪となっており、かつ２次フィルタ１８の前面左右側縁の紐固定部１８ｃ，１８ｄに高低差（本実施例１では、プリーツ１８ａの２つ分であるが、少なくともプリーツ１８ａの１つ分の高低差を設ければよい）を設けて固定されている。このため、従来は、取出用紐がなかったために汚れたプリーツの１つを摘んで２次フィルタを遊技場用エアカーテン装置１０から引き抜いていたが、本実施例１では、取出用紐１８ｂを摘むことにより２次フィルタ１８を汚れたプリーツ１８ａを摘むことなく遊技場用エアカーテン装置１０から引き抜くことができる。また、取出用紐１８ｂの左右の紐固定部１８ｃ，１８ｄに高低差があるため、取出用紐１８ｂが空気の吸込に伴い背面側へと吸い込まれたとしても、左右の紐固定部１８ｃ，１８ｄの上下方向において間に位置するプリーツ１８ａの前に取出用紐１８ｂが留まるため、取出用紐１８ｂを探し出すために汚れたプリーツ１８ａの間を探る必要がない。さらに、取出用紐１８ｂが２次フィルタ１８の背面に回り込んで１つの輪となっているので、引き抜く際に取出用紐１８ｂが切れる、紐固定部１８ｃ，１８ｄから抜ける等のおそれがない。
【００２６】
メイン基板１９には、図１２に示すように、図示しないＬＥＤ（Light Emitting Diode）から照射される紫外線等により空気中に含まれる細菌を殺菌したり、臭いを分解したりする二酸化チタン等の光触媒が塗布されてなる光触媒部材２１が空気流路１５を介して設けられている。メイン基板１９では、光触媒部材２１がＬＥＤからの紫外線等の照射により光触媒の浄化作用を促し、空気流路１５を流れる空気を浄化する。なお、光触媒部材２１を配設する形態については、どのようなものであってもよい。
【００２７】
次に、このように構成された実施例１に係る遊技場用エアカーテン装置１０の動作を図１ないし図１２を参照しながら説明する。
【００２８】
遊技場用エアカーテン装置１０の吸込口１２に、１次フィルタ１７を収納した吸込口カバー１１を取り付けた状態では、吸込口１２が目隠しされて、遊技者から吸込口１２および１次フィルタ１７が直接見えることはない。
【００２９】
この状態から、風量調節釦１４を押下して、遊技場用エアカーテン装置１０の運転状態を「切」から「通常」に切り換えると、電源基板２０からファン１６に通電が行われ、ファン１６が回転を開始する。
【００３０】
ファン１６が回転すると、空気流路１５が負圧となり、吸込口カバー１１の空気流入部１１ｆから空気が吸い込まれる。空気流入部１１ｆから吸い込まれた空気は、領域Ｒ１〜Ｒ９に入り、１次フィルタ１７の対応するフィルタ箇所を通過して、空気中の塵埃を除去される。
【００３１】
このとき、例えば、領域Ｒ２に対応する１次フィルタ１７のフィルタ箇所が塵埃により目詰まりしたとしても、突起部１２ｄに通気溝１１ｅが設けられているので、例えば、領域Ｒ１，Ｒ３，Ｒ８といった他の領域へと空気が流れる（空気が循環する）ことにより、塵埃の除去効率の低下を抑制することができる。
【００３２】
１次フィルタ１７を通過した空気は、２次フィルタ１８でさらに細かい塵埃を除去される。
【００３３】
２次フィルタ１８を通過した空気は、メイン基板１９において、図示しないＬＥＤから紫外線等が光触媒部材２１に照射されることによって発生する活性酸素等により、空気中に含まれる細菌が殺菌され、臭いが分解される。
【００３４】
メイン基板１９を通過した空気は、ファン１６を通って、正面上部側の吹出口１３から吹き出され、タバコの煙等を遮断するエアカーテンを形成する。また、清浄化された空気がエアカーテンとして遊技場内に放出されることにより、遊技場内の空気が清浄化される。
【００３５】
実施例１によれば、吸込口カバー１１の目隠し部１１ｂの周縁部に形成された空気流入部１１ｆから空気を吸い込むようにしたので、空気流入部１１ｆを清掃するだけで目に見える塵埃を除去することができ、日毎のメンテナンスの労力が軽減される。また、目隠し部１１ｂにより１次フィルタ１７に付着した塵埃が隠れるので、１次フィルタ１７に塵埃が付着した状態であっても清潔感を維持できる。さらに、吸込口カバー１１にフィルタ収納部１１ｃを設けたことにより、１次フィルタ１７を収納した状態で吸込口カバー１１を装置本体から着脱可能となり、１次フィルタ１７を着脱する場合に、遊技場用エアカーテン装置１０が設置された遊技島を覗き込んでから１次フィルタ１７を着脱して位置調整を行う必要がなくなり、メンテナンスに掛かる労力を軽減化できる。さらにまた、目隠し部１１ｂの背面に設けた突起部１１ｄにより、フィルタ収納部１１ｃを上げ底とし、１次フィルタ１７の前面が空気流入部１１ｆの後端より突出するのを規制しているので、目隠し部１１ｂの周縁部に寄せて配置した空気流入部１１ｆから吸い込んだ空気中の塵埃を、面積の狭い１次フィルタ１７の上下左右の端面でなく、面積の広い１次フィルタ１７の前面で取り除くことができる。
【００３６】
また、実施例１によれば、目隠し部１１ｂの前面形状を１次フィルタ１７の前面形状と略同一に形成することにより、目隠し部１１ｂの周縁部に寄せて空気流入部１１ｆを配置することになり、空気流入部１１ｆや１次フィルタ１７に付着した塵埃が遊技者の目に触れることを避けることができるとともに、清掃等のメンテナンスを容易化できる。
【００３７】
さらに、実施例１によれば、突起部１１ｄにより上げ底とした全ての領域Ｒ１〜Ｒ９について空気が循環可能なように突起部１１ｄに通気溝１１ｅを設けるようにしたので、空気流入部１１ｆから流入した空気が１次フィルタ１７の前面側で循環することにより、１次フィルタ１７のある箇所が塵埃により目詰まりを起こした場合であっても、１次フィルタ１７の他の箇所で塵埃を除去することができ、１次フィルタ１７による塵埃の除去を効率化できる。
【００３８】
ところで、上記実施例１に係る遊技場用エアカーテン装置１０に関しては、以下のような変形例を考えることができる。
【００３９】
実施例１では、吸込口１２を正面下部側に設け、吹出口１３を正面上部側に設けるようにしたが、吹出口１３，吸込口１２，ファン１６等の配置は全て例示であり、吸込口１２を正面上部側に設けて吹出口１３を正面下部側に設ける等、どのような配置構成にしてもよい。
【００４０】
また、実施例１では、突起部１１ｄを垂直な突条と水平な突条との組み合わせとし、これに目隠し部１１ｂの背面と面一の通気溝１１ｅを形成したが、突起部１１ｄや通気溝１１ｅの形状についても同様に、種々の変更が可能である。例えば、通気溝１１ｅが目隠し部１１ｂの背面より突出していてもよく、この場合、本実施例１の突起部１１ｄの高さより通気溝１１ｅの高さを低くすることで、通気を可能とすればよい。
【００４１】
さらに、実施例１では、フィルタ収納部１１ｃを縦長の四角形状枠体としたが、本発明の本質を逸脱しない範囲であれば、フィルタ収納部１１ｃを三角形や正方形等のどのような形状の枠体としてもよい。
【００４２】
さらにまた、実施例１では、空気流入部１１ｆを目隠し部１１ｂの左右端および下端側に設けるようにしたが、目隠し部１１ｂの周縁部であれば、左右端側のみに選択的に設けてもよく、上端側に設けてももちろんよい。
【００４３】
また、実施例１では、１次フィルタ１７，２次フィルタ１８，メイン基板１９の光触媒部材２１による３段階の空気清浄機能があるように説明したが、本発明の遊技場用エアカーテン装置は、少なくとも１次フィルタ１７による空気清浄機能およびエアカーテン機能を備えていれば十分であり、２次フィルタ１８，メイン基板１９の光触媒部材２１による空気清浄機能は必須ではない。
【００４４】
以上、本発明の実施例を説明したが、これはあくまでも例示にすぎず、本発明はこれに限定されるものではなく、特許請求の範囲の趣旨を逸脱しない限りにおいて、当業者の知識に基づく種々の変更が可能である。
【図面の簡単な説明】
【００４５】
【図１】本発明の実施例１に係る遊技場用エアカーテン装置の正面斜視図。
【図２】実施例１に係る遊技場用エアカーテン装置の内部配置イメージ図。
【図３】実施例１に係る遊技場用エアカーテン装置を設置する遊技機の正面模式図。
【図４】（ａ），（ｂ）は吸込口カバーの前面斜視図および背面斜視図。
【図５】（ａ）〜（ｄ）は吸込口カバーの前面図，底面図，左側面図および背面図。
【図６】目隠し部の背面斜視図。
【図７】目隠し部の正面斜視図。
【図８】１次フィルタの斜視図。
【図９】吸込口カバーの１次フィルタ収納時のＡ−Ａ線断面図。
【図１０】吸込口カバーの１次フィルタ収納時のＢ−Ｂ線断面図。
【図１１】２次フィルタの斜視図。
【図１２】メイン基板および光触媒部材の断面イメージ図。
【符号の説明】
【００４６】
１０  遊技場用エアカーテン装置
１１  吸込口カバー
１１ａ  カバー部
１１ｂ  目隠し部
１１ｃ  フィルタ収納部
１１ｄ  突起部
１１ｅ  通気溝
１１ｆ  空気流入部
１２  吸込口
１３  吹出口
１４  風量調節釦
１５  空気流路
１６  ファン（送風手段）
１７  １次フィルタ（フィルタ）
１８  ２次フィルタ
１８ｂ  取出用紐
１９  メイン基板
２０  電源基板
２１  光触媒部材
【図１】
2008079640.tif 000003
【図２】
2008079640.tif 000004
【図３】
2008079640.tif 000005
【図４】
2008079640.tif 000006
【図５】
2008079640.tif 000007
【図６】
2008079640.tif 000008
【図７】
2008079640.tif 000009
【図８】
2008079640.tif 000010
【図９】
2008079640.tif 000011
【図１０】
2008079640.tif 000012
【図１１】
2008079640.tif 000013
【図１２】
2008079640.tif 000014